(57)【要約】【課題】  容易に節電を促進し得ると共に、電気機器の不使用時にはショート等により過電流が流れることを防止し得る電源供給システム及び電源コンセントを提供する。【解決手段】  電気機器１０の電源スイッチ１１がオンか、オフであることを検出する操作検出部２２、２３と、操作検出部２２、２３において電源スイッチ１１がオンであると検出したときに電源コンセント３０の出力端子Ｔ１に電源を供給し、電源スイッチ１１がオフであると検出したときに出力端子Ｔ１への電源の供給を遮断する電力制御部３４、３５とを備える。【選択図】      図２
2006149075.tif 000002
【特許請求の範囲】
【請求項１】
電気機器の電源スイッチがオンか、オフであることを検出する操作検出部と；
前記操作検出部において電源スイッチがオンであると検出したときに電源コンセントの出力端子に電源を供給し、前記電源スイッチがオフであると検出したときに前記出力端子への電源の供給を遮断する電力制御部と；
を備えたことを特徴とする電源供給システム。
【請求項２】
前記電源コンセントの前記出力端子に前記電気機器の電源プラグが接続されているか否かを検知する電源プラグ検知部を備え；
前記電力制御部は、前記電源プラグ検知部において前記電源コンセントに前記電源プラグが接続されていないと検知したときに、前記出力端子への電源の供給を遮断することを特徴とする請求項１に記載の電源供給システム。
【請求項３】
前記出力端子を複数備え；この出力端子には夫々固有の識別情報が付され、個々の出力端子に接続された電気機器の電源オン／オフ情報と前記識別情報とを関連つけて記憶する識別情報記憶部を備え；この識別情報記憶部に記憶された情報に基づき、個々の出力端子への電源供給を制御することを特徴とする請求項１に記載の電源供給システム。
【請求項４】
前記電気機器の最大利用電力量の情報を保持する最大利用電力量情報保持部と；
前記出力端子を介して出力される電力量を計測する電力量計測部と；
を備え、前記電力制御部は、前記電力量計測部において計測される電力量が前記最大利用電力量を超えたとき前記出力端子への電源の供給を遮断することを特徴とする請求項１に記載の電源供給システム。
【請求項５】
前記操作検出部は、前記電気機器の電源スイッチがオンか、オフであることの検知結果を保持する無線情報タグを前記電気機器の電源プラグに備え；
前記電力制御部は、前記無線情報タグから前記検知結果を読み出す無線情報読み取り部を備えることを特徴とする請求項１又は請求項２のいずれかに記載の電源供給システム。
【請求項６】
前記無線情報タグは、前記保持されるオンかオフであることの検知結果が変更されたとき前記無線情報読み取り部に対して起動要求を送信し；
前記無線情報読み取り部は、前記起動要求に基づいて起動すると共に、前記無線情報タグから前記検知結果を読み取った後に読み取り動作を停止することを特徴とする請求項５に記載の電源供給システム。
【請求項７】
前記操作検出部は、前記電気機器の電源スイッチがオンか、オフであることの検出結果を保持する無線情報タグを前記電気機器の電源プラグに備え；
前記電力制御部は、前記電源プラグ検知部において前記電源プラグの接続が検知されたとき、前記識別情報記憶部に記憶された識別情報を前記無線情報タグに書き込む無線情報書き込み部と；前記無線情報タグから前記オンかオフであることの検出結果及び前記出力端子の識別情報を読み出す無線情報読み取り部とを備え；前記電力制御部は、前記無線情報タグから読み出された前記オンかオフであることの検出結果及び前記出力端子の識別情報に基づいて、該識別情報によって特定される前記出力端子に対する電源の供給及び遮断を制御することを特徴とする請求項３に記載の電源供給システム。
【請求項８】
前記操作検出部は、前記電気機器の電源スイッチがオンか、オフであることの検出結果と無線情報タグに固有の無線情報タグ識別情報とを保持する無線情報タグを前記電気機器の電源プラグに備え；
前記電力制御部は、前記無線情報タグに保持される前記オンかオフであることの検出結果及び前記無線情報タグ情報を読み取る無線情報読み取り部を備え；前記電力制御部は、前記電源プラグ検知部において前記電源プラグの接続が検知されたとき、前記無線情報タグから前記無線情報タグ識別情報を読み取って前記識別情報記憶部に記憶された前記出力端子の識別情報に対応付けて保持すると共に、前記無線情報タグから読み取った前記オンかオフであることの検出結果及び前記無線情報タグ識別情報と、該無線情報タグ識別情報に対応付けられた前記出力端子の識別情報とに基づいて、該出力端子の識別情報によって特定される前記出力端子に対する電源の供給及び遮断を制御することを特徴とする請求項３に記載の電源供給システム。
【請求項９】
接続される電源プラグを介して電気機器に電源を供給する出力端子と；
前記電気機器の電源スイッチがオンかオフであることの検出結果を読み取る検出結果読み取り部と；
前記検出結果読み取り部において読み取られる前記検出結果がオンであるときに前記出力端子に電源を供給し、前記検出結果がオフであるときに前記出力端子への電源の供給を遮断する電力制御部と；
を備えることを特徴とする電源コンセント。
【請求項１０】
前記電源コンセントの前記出力端子に前記電気機器の電源プラグが接続されているか否かを検知する電源プラグ検知部を備え；
前記電力制御部は、前記電源プラグ検知部において前記電源コンセントに前記電源プラグが接続されていないと検知したときに、前記出力端子への電源の供給を遮断することを特徴とする請求項９に記載の電源コンセント。
【請求項１１】
前記出力端子を複数備え；この出力端子には夫々固有の識別情報が付され、個々の出力端子に接続された電気機器の電源オン／オフ情報と前記識別情報とを関連つけて記憶する識別情報記憶部を備え；この識別情報記憶部に記憶された情報に基づき、個々の出力端子への電源供給を制御することを特徴とする請求項９に記載の電源コンセント。
【請求項１２】
前記電源プラグから情報を受信する無線情報読み取り部と；
前記出力端子を介して出力される電力量を計測する電力量計測部と；
を備え、前記電力制御部は、前記無線情報読み取り部において読み取られる電力量と前記電力量計測部において計測される電力量とを比較し、前記計測される電力量が前記読み取られる電力量を超えたとき前記出力端子への電源の供給を遮断することを特徴とする請求項９に記載の電源コンセント。
【発明の詳細な説明】
【技術分野】
【０００１】
本発明は、電源供給システム及び電源コンセントに関し、例えば家庭用の電気機器に電源を供給する電源供給システム及び電源コンセントに関する。
【背景技術】
【０００２】
テレビ、オーディオ機器等の電気機器においては、一般に電源スイッチを切っても待機電力と呼ばれる電力が消費されている。これらの電気機器においては、不使用時に電源コンセントから電源プラグを抜き取ることにより、待機電力の消費を回避して節電を促進することができると考えられる。
【０００３】
しかしながら、また電気機器を使用しない場合に電源コンセントから電源プラグを抜き取るのでは、煩雑な手間を避け得ない。
【０００４】
また電源コンセントにおいては、常に電力を供給し得る状態となっていることにより、電源コンセントのプラグ差し込み口や電源コンセントのプラグ差し込み口に差し込まれた電源プラグのプラグ間に例えば金属片等が誤って挿入された場合にはショートにより過電流が流れることもある。
【０００５】
節電を促進する方法として、電源コンセントにスイッチを設け、電気機器を使用しない場合にはこのスイッチを切ることにより、電気機器の待機電力の消費を防止する方法が考えられる。
【０００６】
また家電機器に電力を供給する電力線にスイッチ手段及び電力検知手段を介挿し、このスイッチ手段によって遮断される電力量に応じた節約電力料金を表示して、利用者にスイッチのオフ操作を促す電力モニタものが考えられている（特許文献１参照）。
【０００７】
さらに、通信電話回線が使用される時の回線の変化を感知検出し、機器が使用される時のみ自動的に電話機等の電源を入れる装置が提案されている（特許文献２参照）。
【特許文献１】特開２００３−１４９２７１号公報
【特許文献２】登録実用新案３０１９５４３号
【発明の開示】
【発明が解決しようとする課題】
【０００８】
スイッチを備えた電源コンセントにおいては、利用者は電気機器を使用する度に電源コンセントのスイッチと入れなければならない点において煩雑な手間を避け得ず、機器を使用しない場合に利用者がスイッチを切り忘れることもある。
【０００９】
また、特許文献１に示されている構成では、利用者が電気機器の電源スイッチを切っただけでは電力線に介挿されたスイッチ手段がオフしないことにより、利用者は電気機器の使用に合わせてスイッチ手段を操作しなければならない点において煩雑な手間を避け得ず、また、電源コンセントからは常に電力が供給状態となっている点において、金属片等が誤って挿入された場合にはショートにより過電流が流れることを避け得ない。
【００１０】
さらに、特許文献２に示されている構成では、通信電話回線の変化を感知検出する点において、利用者の意図により電気機器をオン、オフさせる場合に対応し得ず、また、電源コンセントからは常に電力が供給状態となっている点において、金属片等が誤って挿入された場合にはショートにより過電流が流れることを避け得ない。
【００１１】
本発明は、このような技術的課題を解決するためになされたものであり、本発明の目的は、容易に節電を促進し得ると共に、電気機器の不使用時にはショート等により過電流が流れることを防止し得る電源供給システム及び電源コンセントを提供することである。
【課題を解決するための手段】
【００１２】
本発明の実施の形態に係る特徴は、電源供給システムにおいて、電気機器の電源スイッチがオンか、オフであることを検出する操作検出部と、操作検出部において電源スイッチがオンであると検出したときに電源コンセントの出力端子に電源を供給し、電源スイッチがオフであると検出したときに出力端子への電源の供給を遮断する電力制御部とを備えることである。
【００１３】
本発明の実施の形態に係る特徴は、電源コンセントにおいて、接続される電源プラグを介して電気機器に電源を供給する出力端子と、電気機器の電源スイッチがオンかオフであることの検出結果を読み取る検出結果読み取り部と、検出結果読み取り部において読み取られる検出結果がオンであるときに出力端子に電源を供給し、検出結果がオフであるときに出力端子への電源の供給を遮断する電力制御部とを備えることである。
【発明の効果】
【００１４】
本発明によれば、容易に節電を促進し得ると共に、電気機器の不使用時にはショート等により過電流が流れることを防止し得る電源供給システム及び電源コンセントを提供することができる。
【発明を実施するための最良の形態】
【００１５】
以下、本発明の実施の形態について図面を参照して詳細に説明する。以下の図面の記載において、同一の部分には同一の符号を付し、重複する記載は省略する。
【００１６】
（第１の実施の形態）
本発明の第１の実施の形態に係る電源供給システム１は、図１に示すように、電気機器１０の電源スイッチ１１がオンか、オフであることを検出する操作検出部として、書き込み回路と無線情報タグ（ＲＦＩＤタグ）とを電源プラグ２１に備え、操作検出部において電源スイッチ１１がオンであると検出したときに電源コンセント３０の出力端子に電源を供給し、電源スイッチ１１がオフであると検出したときに出力端子への電源の供給を遮断する電力制御部として、無線情報読み取り部（ＲＦＩＤリーダ）と電力制御モジュールとを電源コンセントに備えている。
【００１７】
電気機器１０には、電源スイッチ１１とこの電源スイッチ１１の操作を受けてパルス状の電気信号を出力する圧電発電素子とが設けられている。圧電発電素子は、圧力を電気信号に変換する素子であり、電源スイッチ１１が操作された際にこの操作によって圧力を受け、パルス状の電気信号（以下これを状態切換え信号と呼ぶ）を出力するようになされている。この電源スイッチ１１は、例えば押しボタン式のスイッチであり、押圧操作される度に圧電発電素子から電気信号が出力される。
【００１８】
また電気機器１０においては、商用電源から電力の供給を受けるための電力線２０が機器内部の電源回路に接続されており、この電力線２０の先端部には電源プラグ２１が設けられている。この電源プラグ２１を電源コンセント３０に差し込むことにより、この電源コンセント３０から電気機器１０に対して電力を供給し得るようになされている。
【００１９】
電気機器１０は、電力線２０を介して供給された電力を内部の電源回路に受け、この電力により動作する。上述した圧電発電素子から出力される状態切換え信号は、電源回路を介して電力線２０に出力され、この電力線２０を介して電源プラグ２１に供給される。
【００２０】
図２に示すように、電源プラグ２１においては、電力線２０を介して電気機器１０から供給されるパルス状の状態切換え信号を平滑化して出力する書き込み回路２２が設けられ、電気機器１０から状態切換え信号が供給された際に、この信号に応じた出力電圧をＲＦＩＤタグ２３に供給するようになされている。これにより書き込み回路２２は、電気機器１０の電源スイッチ１１から状態切換え信号を受ける度に、ＲＦＩＤタグ２３の内部メモリ２４の状態ビット（State Bit）を書き換える。この実施の形態の場合、状態ビットは、書き込み回路２２から状態切換え信号に応じた出力電圧を受ける度に電源投入要求状態（以下これをオン状態と呼ぶ）と、電源停止要求状態（以下これをオフ状態と呼ぶ）とに順次書き換えられるようになされている。
【００２１】
これによりＲＦＩＤタグ２３においては、状態ビットがオフ状態となっている場合に、電気機器１０の電源スイッチ１１が操作されて状態切換え信号が電力線２０を介して電源プラグ２１に供給されると、内部メモリ２４の状態ビットの値がオン状態に書き換えられる。またこれに対して、状態ビットがオン状態となっている場合に、電気機器１０の電源スイッチ１１が操作されて状態切換え信号が電力線２０を介して電源プラグ２１に供給されると、内部メモリ２４の状態ビットの値がオフ状態に書き換えられる。
【００２２】
ＲＦＩＤタグ２３は、ＲＦＩＤリーダから非接触で電源供給を受けるパッシブ型（受動型）のＲＦＩＤタグであり、後述する電源コンセント部３１に設けられたＲＦＩＤリーダ３４からの応答要求コマンドを非接触で受信すると共にこの応答要求コマンドに対して非接触で情報（状態ビットの値）を返送するためのアンテナ及び制御回路が設けられている。これによりＲＦＩＤタグ３４は、ＲＦＩＤリーダ３４から応答要求コマンドを受け取った場合に動作して内部メモリ２４の状態ビットの値をＲＦＩＤリーダ３４に返送する。
【００２３】
一方、電源コンセント３０においては、図２に示すように、電源プラグ２１のプラグ２５Ａ、２５Ｂを差し込む差し込み口３２Ａ、３２Ｂが設けられ、これら差し込み口３２Ａ、３２Ｂの内部には、電源を供給する出力端子Ｔ１及びプラグ検知モジュール３３が設けられている。
【００２４】
プラグ検知モジュール３３には、差し込まれたプラグ２５Ａ、２５Ｂによって操作されるスイッチが設けられており、プラグ検知モジュール３３は、このスイッチの状態によってプラグ２５Ａ、２５Ｂが差し込まれているか否かを検知する。プラグ検知モジュール３３は、プラグが差し込まれている間においては、検知信号をＲＦＩＤリーダ３４に出力し、これに対してプラグが差し込まれていない場合には、検知信号の出力を停止する。
【００２５】
ＲＦＩＤリーダ３４は、電源プラグ２１のＲＦＩＤタグ２３から非接触で情報を読み出すためのアンテナ及び制御回路を有し、プラグ検知モジュール３３からプラグの検知信号が供給されていない場合には停止状態となり、これに対してプラグ検知モジュール３３からプラグの検知信号が供給されると、ＲＦＩＤリーダ３４は起動して、定期的にＲＦＩＤタグ２３に対して応答要求コマンドを送信する。ＲＦＩＤリーダ３４は、この応答要求コマンドに応じてＲＦＩＤタグ２３から返送された情報（状態ビットの値）を内部メモリに書き込むようになされており、この情報（状態ビットの値）に基づいて電力制御モジュール３５を制御する。すなわち、ＲＦＩＤタグ２３から返送された情報がオン状態を表す値である場合、ＲＦＩＤリーダ３４は、電源制御モジュール３５に対して通電要求を送出し、これに対してオフ状態を表す値である場合には、電源制御モジュール３５に対して通電停止要求を送出する。
【００２６】
電力制御モジュール３５は、ＲＦＩＤリーダ３４の制御によって商用電源を供給又は供給停止するスイッチ回路であり、ＲＦＩＤリーダ３４から通電要求を受け取ると、スイッチ回路を切り換えて電源供給状態とし、これに対して通電停止要求を受け取ると、スイッチ回路を切り換えて電源供給停止状態とする。
【００２７】
これにより、電源コンセント３０に電源プラグ２１が差し込まれている場合には、電気機器１０の電源スイッチ１１が操作される度に電源コンセント３０が電源供給状態及び電源供給停止状態を繰り返す。
【００２８】
また、電源コンセント３０から電源プラグ２１が引き抜かれた場合には、プラグ検知モジュール３３からＲＦＩＤリーダ３４に対する検知信号の供給が停止されることにより、ＲＦＩＤリーダ３４は、電力制御モジュール３５を切り換えて電源供給停止状態とする。これにより電源プラグ２１が電源コンセント３０から引き抜かれた場合には、電源コンセント３０において電源供給が停止される。このように電源コンセント３０に電源プラグ２１が差し込まれているか否かに応じて電源コンセント３０が電源供給状態又は電源供給停止状態に切り換えられる。
【００２９】
次に、本実施の形態に係る電源供給システム１の動作を説明する。なおこの説明では、電源プラグ２１において状態ビットがオフ状態である場合に電気機器１０において電源スイッチ１１が操作される場合、この操作をオン操作と呼び、このとき電気機器１０から電源プラグ２１に供給される状態切換え信号をオン信号と呼ぶ。またこれに対して状態ビットがオン状態である場合に電気機器１０において電源スイッチ１１が操作される場合、この操作をオフ操作と呼び、このとき電気機器１０から電源プラグ２１に供給される状態切換え信号をオフ信号と呼ぶ。
【００３０】
図３に示すように、電源コンセント３０に電源プラグ２１が差し込まれていない状態であって、かつ、電源プラグ２１の状態ビットがオフ状態である初期状態においては、電源コンセント３０に電源プラグ２１が差し込まれていないことにより電源コンセント３０のＲＦＩＤリーダ３４は電力制御モジュール３５を電源供給停止状態としている。
【００３１】
この初期状態において、電源コンセント３０に電源プラグ２１が差し込まれると、この電源コンセント３０のプラグ検知モジュール３３が差し込みを検知して、検知信号をＲＦＩＤリーダ３４に出力する（ステップＳ１０１）。
【００３２】
検知信号を受け取ったＲＦＩＤリーダ３４は、起動し、ＲＦＩＤタグ２３に対して状態ビットの値（オン状態又はオフ状態）を非接触で要求する（ステップＳ１０３）。要求を受けたＲＦＩＤタグ２３は、状態ビットの値をＲＦＩＤリーダ３４に送信する（ステップＳ１０５）。この場合、電気機器１０の電源スイッチ１１が未だ操作されていないことにより、ＲＦＩＤリーダ３４が受け取った状態ビットの値は、オフ状態を表す値となる。このようにＲＦＩＤタグ２３からＲＦＩＤリーダ３４に対してオフ状態が通知されると、ＲＦＩＤリーダ３４は、電力制御モジュール３５を電源供給停止状態のまま保持する。
【００３３】
これにより、電源コンセント３０に電源プラグ２１が差し込まれた状態において、電気機器１０の電源スイッチ１１が操作されていない場合には、電源コンセント３０において電源供給停止状態が保持されることにより、電源コンセント３０に電源プラグ２１が差し込まれているにもかかわらず、電気機器１０には電源が供給されないこととなる。これにより待機電力を節電することができる。また電源コンセント３０の差し込み口３２Ａ、３２Ｂに金属等が誤って挿入された場合、又は電源コンセント３０の出力端子Ｔ１に接続された電源プラグ２１のプラグ２５Ａ、２５Ｂ間に金属等が誤って触れた場合等においても、過電流が流れることを防止することができる。
【００３４】
電源プラグ２１の差し込みに応じて起動した電源コンセント３０のＲＦＩＤリーダ３４は、ＲＦＩＤタグ２３に対して定期的に状態ビットの値を要求する。
【００３５】
電源コンセント３０に電源プラグ２１が差し込まれている状態において、電気機器１０の電源スイッチ１１がオン操作されると、電気機器１０から電力線２０を介して電源プラグ２１の書き込み回路２２に対してオン信号が供給される（ステップＳ１０７）。書き込み回路２２は、このオン信号によりＲＦＩＤタグ２３の内部メモリ２４の状態ビットをオン状態を示す値に書き換える（ステップＳ１０９）。
【００３６】
起動状態にあるＲＦＩＤリーダ３４は、ＲＦＩＤタグ２３に対して定期的に状態ビットの値を要求することにより、電気機器１０の電源スイッチ１１がオン操作されてＲＦＩＤリーダ２３の内部メモリ２４の状態ビットの値がオン状態に書き換えられた場合には、その後のＲＦＩＤリーダ３４からの要求（ステップＳ１１１）に応じて、このオン状態がＲＦＩＤタグ２３からＲＦＩＤリーダ３４に通知される（ステップＳ１１３）。
【００３７】
オン状態が通知されたＲＦＩＤリーダ３４は、電力制御モジュール３５に対して通電要求を送出することにより（ステップＳ１１５）、電力制御モジュール３５によって電源コンセント３０が電力供給状態になる。
【００３８】
このように電源コンセント３０に電源プラグ２１が差し込まれている状態において、電気機器１０の電源スイッチ１１がオン操作されると、電源コンセント３０が電源供給状態となり、電源プラグ２１及び電力線２０を介して電気機器１０に対して電源が供給される。
【００３９】
また、電源が供給されている状態において、電気機器１０の電源スイッチ１１がオフ操作されると、電気機器１０から電源プラグ２１に対してオフ信号が供給されることにより、ＲＦＩＤタグ２３の内部メモリ２４の状態ビットがオフ状態を示す値に書き換えられ、このオフ状態の通知を受けたＲＦＩＤリーダ３４によって電源制御モジュール３５が電源供給停止状態に制御される。
【００４０】
このようにして電源コンセント３０から電源が供給されている状態において、電気機器１０の電源スイッチ１１がオフ操作されると、電気機器１０から電力線２０を介して電源プラグ２１の書き込み回路２２に対してオフ信号が供給される（ステップＳ１２１）。書き込み回路２２は、このオフ信号によりＲＦＩＤタグ２３の内部メモリ２４の状態ビットをオフ状態に書き換える（ステップＳ１２２）。
【００４１】
この場合、起動状態にあるＲＦＩＤリーダ３４は、ＲＦＩＤタグ２３に対して定期的に状態ビットの値を要求することにより、電気機器１０の電源スイッチ１１がオフ操作されてＲＦＩＤリーダ２３の内部メモリ２４の状態ビットの値がオフ状態に書き換えられた場合には、その後のＲＦＩＤリーダ３４からの要求（ステップＳ１２３）に応じて、このオフ状態がＲＦＩＤタグ２３からＲＦＩＤリーダ３４に通知される（ステップＳ１２４）。
【００４２】
オフ状態が通知されたＲＦＩＤリーダ３４は、電力制御モジュール３５に対して通電停止要求を送出することにより（ステップＳ１２５）、電力制御モジュール３５によって電源コンセント３０が電源供給停止状態になる。
【００４３】
このように、電気機器１０の電源スイッチ１１がオフ操作されると、電源コンセント３０が電源供給停止状態となり、電気機器１０への通電が停止される。
【００４４】
本実施の形態の電源供給システム１においては、電源コンセント３０に電源プラグ２１が差し込まれていても、電気機器１０の電源スイッチ１１がオン操作されていない場合やオフ操作された場合には、電源コンセント３０が電源供給停止状態を維持することにより、電気機器１０において待機電力等が消費されず、また電源コンセント３０の差し込み口３２Ａ、３２Ｂに金属等が誤って挿入された場合、又は電源コンセント３０の出力端子Ｔ１に接続された電源プラグ２１のプラグ２５Ａ、２５Ｂ間に金属等が誤って触れた場合等においても、過電流が流れることを防止することができる。
【００４５】
また、電源コンセント３０に電源プラグ２１が差し込まれていない状態では、電源コンセント３０においては電源供給停止状態となることにより、金属片等が誤って電源コンセント３０の差し込み口３２Ａ、３２Ｂに挿入された場合であっても、過大電流が流れることがなくなる。
【００４６】
このように電源コンセント３０に電源プラグ２１が差し込まれている場合であっても、電気機器１０の電源スイッチ１１がオン操作されるまで電源コンセント３０から電源が供給されず、電源スイッチ１１がオン操作された際に、電気機器１からオン信号が電源プラグ２１に供給され、さらにＲＦＩＤタグ２３及びＲＦＩＤリーダ３４を介して電源コンセント３０が電源供給状態に切り換えられることにより、電源コンセント３０から電源プラグ２１を抜き差しすることなく、また電源コンセント３０に手動で電力供給をオンオフ切り換えするためのスイッチを設けることなく、電気機器１０の電源スイッチ１１がオン操作された場合のみ電源コンセント３０から電源が供給されるようにすることができる。
【００４７】
（第２の実施の形態）
本発明の第２の実施の形態は、第１の実施の形態に係る電源供給システム１のＲＦＩＤタグ２３及びＲＦＩＤリーダ３４の構成を代えた例を説明するものである。すなわち、図４に示すように、第２の実施の形態に係る電源供給システム１においては、ＲＦＩＤタグ４３は、電源スイッチ１１がオンかオフであることを保持すると共に、保持されるオンかオフであることの検出結果が変更されたときＲＦＩＤリーダ５４に対して起動要求を送信し、ＲＦＩＤリーダ５４は、起動要求に基づいて起動すると共に、ＲＦＩＤタグ４３から検知結果を読み取った後に読み取り動作を停止するようになされている。
【００４８】
すなわち本実施の形態に係る電源供給システム１においては、電源プラグ２１にアクティブ型（能動型）のＲＦＩＤタグ４３を備え、電源コンセント３０のＲＦＩＤリーダ５４は、ＲＦＩＤタグ４３から定期的な情報の読み出しを行わず、電源プラグ２１が差し込まれたとき、及びアクティブ型のＲＦＩＤタグ４３が起動を要求したときにおいてのみＲＦＩＤタグ４３の内部メモリ４４の状態を読み出す。
【００４９】
すなわち、ＲＦＩＤタグ４３は、内部に電池を有し、この電池から電源供給を受けて情報を送信するアクティブ型（能動型）のＲＦＩＤタグであり、電源コンセント３０に設けられたＲＦＩＤリーダ５４に対して情報を送信するためのアンテナ及び制御回路が設けられている。このＲＦＩＤタグ４３は、書き込み回路２２によって内部メモリ２４の状態ビットが書き換えられると、その都度ＲＦＩＤリーダ５４に対して起動要求を送信するようになされている。
【００５０】
図５に示すように、電気機器１０の電源スイッチ１１がオン操作されると、電気機器１０から電力線２０を介して電源プラグ２１の書き込み回路２２に対してオン信号が供給され（ステップＳ１０７）、書き込み回路２２は、このオン信号によりＲＦＩＤタグ２３の内部メモリ２４の状態ビットをオン状態に書き換える（ステップＳ１０９）。またこのときＲＦＩＤタグ４３は、電池による電力を利用してＲＦＩＤリーダ５４に対して起動要求を送出する（ステップＳ１１０）。
【００５１】
起動要求を受け取ったＲＦＩＤリーダ５４は、この起動要求に応じてＲＦＩＤタグ４３に対して状態ビットの値を要求する（ステップＳ１１１）。このようにアクティブ型のＲＦＩＤタグ４３においては、ＲＦＩＤリーダ５４から電源供給を受けることなく、状態ビットの値が書き換えられた際にＲＦＩＤリーダ５４に対して起動要求を送信することができる。これによりＲＦＩＤリーダ５４においては、ＲＦＩＤタグ４３に対して定期的な読み出し要求を送信することなく、ＲＦＩＤタグ４３から起動要求が送られてきた場合に読み出し要求を送信することにより、ＲＦＩＤタグ４３の内部メモリ４４の状態が書き換えられた際に直ちにこれを読み出すことができる。
【００５２】
ＲＦＩＤタグ４３は、ＲＦＩＤリーダ５４からの読み出し要求（ステップＳ１１１）に応じてオン状態を示す状態ビットの値をＲＦＩＤリーダ５４に返送する（ステップＳ１１３）。オン状態が通知されたＲＦＩＤリーダ５４は、電力制御モジュール３５に対して通電要求を送出することにより（ステップＳ１１５）、電力制御モジュール３５によって電源コンセント３０が電源供給状態になる。なお、ＲＦＩＤリーダ５４は、電力制御モジュール３５に対して通電要求を送出した後、読み取り動作を停止し、起動要求を受けたときに読み取り動作を起動できるような待機状態へ遷移し、低電力モードとなる。
【００５３】
また、電源コンセント３０から電力が供給されている状態において、電気機器１０の電源スイッチ１１がオフ操作されると、電気機器１０から電力線２０を介して電源プラグ２１の書き込み回路２２に対してオフ信号が供給される（ステップＳ１２１）。書き込み回路２２は、このオフ信号によりＲＦＩＤタグ２３の内部メモリ２４の状態ビットをオフ状態に書き換える（ステップＳ１２２）。この状態ビットの書き換えに応じて、ＲＦＩＤタグ４３は、電池による電力を利用してＲＦＩＤリーダ５４に対して起動要求を送出する（ステップＳ１３１）。
【００５４】
この起動要求に応じて起動したＲＦＩＤリーダ５４は、ＲＦＩＤタグ２３に対して状態ビットの値を要求することにより（ステップＳ１２３）、このときオフ状態を表す状態ビットの値がＲＦＩＤタグ２３からＲＦＩＤリーダ５４に通知される（ステップＳ１２４）。
【００５５】
オフ状態が通知されたＲＦＩＤリーダ５４は、電力制御モジュール３５に対して通電停止要求を送出することにより（ステップＳ１２５）、電力制御モジュール３５によって電源コンセント３０が電源供給停止状態になる。
【００５６】
このように本実施の形態に係る電源供給システム１においては、ＲＦＩＤタグ４３から起動要求があった場合のみＲＦＩＤリーダ５４が起動してＲＦＩＤタグ４３に対して状態ビットの読み出し要求を送信するようにしたことにより、ＲＦＩＤリーダ５４が定期的に読み出し要求を送信する場合に比べて、電源コンセント３０における読み出し要求に係る消費電力を低減することができる。またＲＦＩＤタグ４３においては、内部メモリ４４の状態ビットが書き換えられた場合に直ちにＲＦＩＤリーダ５４に対して起動要求を送信することにより、ＲＦＩＤリーダ５４からの定期的な読み出し要求を待って状態ビットの値を送信する場合に比べて、状態ビットの変化を直ちにＲＦＩＤリーダ５４に送信することができ、この分、電気機器１０の電源スイッチ１１がオン操作された後、電気機器１０に対して電源が供給されるまでの時間を短縮化することができる。
【００５７】
なお上述の第２の実施の形態においては、アクティブ型のＲＦＩＤタグ４３からの起動要求によってＲＦＩＤリーダ５４がＲＦＩＤタグ４３の状態ビットの値を読み出すようにしたが、例えば図６に示すように、ＲＦＩＤリーダ５４が電源オン及び電源オフという２つの状態を持ち、ＲＦＩＤタグ４３から起動要求を受け取る度にこれらの状態を切り換えるようにしてもよい。すなわち電源オフ状態にあるＲＦＩＤリーダ５４は、電力制御モジュール３５を電源供給停止状態にしており、この状態において、電気機器１０の電源スイッチ１１がオン操作されると、ＲＦＩＤタグ４３からＲＦＩＤリーダ５４に対して起動要求が送出され、これに応じてＲＦＩＤリーダ５４の状態が電源オン状態に切り換わり、電力制御モジュール３５を電源供給状態にする。このようにＲＦＩＤタグ４３からの起動要求に応じて電力制御モジュール３５を切り換えることにより、ＲＦＩＤリーダ５４からＲＦＩＤタグ４３に対して状態ビットの読み出し要求を送出する必要がなくなり、簡単に電力制御モジュール３５を切り換え制御することができる。
【００５８】
（第３の実施の形態）
本発明の第３の実施の形態は、第１の実施の形態に係る電源供給システム１において、図７に示すように、複数の電源コンセント部１３１を有する電源コンセント１３０を用いる例を説明するものである。この例においては、複数の電源コンセント部１３１に対して１つのＲＦＩＤリーダ６４が設けられる。図８に示すように、出力端子Ｔ１に固有の識別情報（差し込み口番号）を保持する識別情報記憶部（ＲＦＩＤライタ６１）と、出力端子Ｔ１に電気機器１０の電源プラグ２１が接続されているか否かを検知する電源プラグ検知部（プラグ検知モジュール）３３と、を備え、電力制御部（電力制御モジュール３５）は、複数の出力端子Ｔ１のうち電源プラグ検知部において電源プラグ２１の接続が検知される出力端子Ｔ１を識別情報記憶部の識別情報に基づいて識別し、該識別された出力端子Ｔ１に対する電源の供給及び遮断を制御するようになされている。すなわち、第３の実施の形態に係る電源供給システムの電源コンセント１３０においては、各電源コンセント部３１にその電源コンセント部１３１に固有の差し込み口番号を保持したＲＦＩＤライタ６１を備え、また電源プラグ２１のＲＦＩＤタグ２３は、電源プラグ２１が電源コンセント部３１に差し込まれた際に、その電源コンセント部３１のＲＦＩＤライタ６１により差し込み口番号が書き込まれるようになされている。
【００５９】
ＲＦＩＤライタ６１は、差し込み口３２Ａ、３２Ｂに電源プラグ２１のプラグ２５Ａ、２５Ｂが差し込まれた際にプラグ検知モジュール３３から出力される検知信号によって起動し、差し込み口番号を送信する。差し込み口番号を受け取った電源プラグ２１のＲＦＩＤタグ２３は、その番号（スイッチ番号：SW num）を内部メモリ２４に書き込む。これにより、電源プラグ２１においては、差し込まれた電源コンセント部１３１に固有の差し込み口番号（スイッチ番号）がＲＦＩＤタグ２３の内部メモリ２４に書き込まれ、この書き込まれた差し込み口番号によっていずれの電源コンセント部１３１に差し込まれているかを判別することができるようになる。
【００６０】
またＲＦＩＤリーダ６４は、いずれかの電源コンセント部１３１に電源プラグ２１が差し込まれると、プラグ検知モジュール３３から出力される検知信号によって起動し、差し込まれている電源プラグ２１のＲＦＩＤタグから定期的に状態ビットの値を読み出す。
【００６１】
ＲＦＩＤタグ２３は、図３について上述した場合と同様にして、電気機器１０の電源スイッチ１１がオン操作されると、これに応じて内部メモリ２４の状態ビットをオン状態を示す値に書き換える。
【００６２】
これにより電源プラグ２１のＲＦＩＤタグ２３においては、電源プラグ２１が電源コンセント部１３１に差し込まれた場合には、その差し込み口番号が内部メモリ２４に書き込まれると共に、ＲＦＩＤリーダ６４から定期的にその状態ビットが読み出される。そして電気機器１０の電源スイッチ１１がオン操作された場合には、内部メモリ２４の状態ビットがオン状態に書き換えられる。これら２つの情報の組み合わせによって電源プラグ２１への電力の供給制御を行うことができるようになる。
【００６３】
すなわち、図９に示すように、複数の電源コンセント部１３１の１つに電源プラグ２１が差し込まれると、ＲＦＩＤリーダ６４及びＲＦＩＤライタ６１は、それぞれ差し込み検知信号を受け（ステップＳ１０１）、起動する。起動したＲＦＩＤライタ６１は、固有の差し込み口番号を送信することにより（ステップＳ１０２）、このとき差し込まれた電源プラグ２１のＲＦＩＤタグ２３に対して差し込み口番号を記憶させる。因みに、他の電源コンセント部１３１に他の電源プラグ２１が差し込まれている場合には、それぞれの電源プラグ２１のＲＦＩＤタグ２３は、それぞれの電源プラグ２１が差し込まれている電源コンセント部１３１の差し込み口番号を記憶しており、この番号は、電源プラグ２１が引き抜かれるまで保持されるようになされている。これにより他の電源コンセント部１３１に差し込まれている電源プラグ２１のＲＦＩＤタグ２３の差し込み口番号は書き換えられないようになされている。
【００６４】
一方、起動したＲＦＩＤリーダ６４は、差し込まれている電源プラグ２１のＲＦＩＤタグ２３から定期的に状態ビットの値を読み出す（ステップＳ１０３、ステップＳ１１１）。この定期的な読み出し処理においては、複数の電源コンセント部１３１に電源プラグ２１が差し込まれている場合には、差し込まれているすべての電源プラグ２１のＲＦＩＤタグ２３から状態ビットを読み出す。そして、ＲＦＩＤタグ２３の状態ビットがオフ状態である場合には（ステップＳ１０５）、その状態ビットと対をなして記憶されている差し込み口番号により特定される電源コンセント部１３１の電力制御モジュール３５を電力供給停止状態のまま保持する。これより、電源コンセント部１３１に電源プラグ２１が差し込まれている場合であっても、電気機器１０の電源スイッチ１１がオン操作されていない場合には、その電源プラグ２１が差し込まれている電源コンセント部１３１においては、電源供給停止状態が保持されることになる。
【００６５】
これに対して、読み出された状態ビットがオン状態である電源プラグ２１がある場合、このことは、その電源プラグ２１が設けられた電気機器１１の電源スイッチ１１がオン操作されていることを表しており、ＲＦＩＤリーダ６４は、この電源プラグ２１のＲＦＩＤタグ２３に状態ビットと対をなして記憶されている差し込み口番号を状態ビットと共に読み出して（ステップＳ１１３）、その差し込み口番号により特定される電源コンセント部１３１の電力モジュール３５に通電要求を送出することにより（ステップＳ１１５）、その電力制御モジュール３５を電源供給状態に切り換える。これにより、電源スイッチ１１がオン操作されている電気機器１０の電源プラグ２１に対して、その電源プラグ２１が差し込まれている電源コンセント部１３１を介して電源を供給することができる。
【００６６】
また、電気機器１０の電源スイッチ１１がオフ操作されると、電源プラグ２１の状態ビットがオフ状態に書き換えられる（ステップＳ１４１）。ＲＦＩＤリーダ６４は、定期的な状態ビットの値の読み出しにおいて（ステップＳ１４３）、オフ状態が検知されると（ステップＳ１４４）、その状態ビットと対をなして記憶されている差し込み口番号により特定される電源コンセント部１３１の電力制御モジュール３５に対して通電停止要求を送出する（ステップＳ１４５）。これにより電源スイッチ１１がオフ操作された電機機器１０の電源プラグ２１が差し込まれている電源コンセント部１３１において、電力制御モジュール３５により電源供給が停止される。
【００６７】
本実施の形態に係る電源供給システム１においては、電源プラグ２１が差し込まれている電源コンセント部１３１の差し込み口番号を、その電源プラグ２１のＲＦＩＤタグ２３が保持し、電気機器１１の電源スイッチ１１がオン操作又はオフ操作された際に、ＲＦＩＤリーダ６４からの読み出し要求に応じてその保持されている差し込み口番号をＲＦＩＤタグ２３からＲＦＩＤリーダ６４に通知するようにしたことにより、電源コンセント１３０においては、電源スイッチ１１がオン操作又はオフ操作された電機機器１０の電源プラグ２１が差し込まれている電源コンセント部１３１を判別してその電源コンセント部１３１に対して選択的に電源を供給又は電源供給を停止することができる。
【００６８】
なお上述の第３の実施の形態においては、電源プラグ２１が電源コンセント部１３１に差し込まれた際に、電源コンセント部１３１の差し込み口番号を電源プラグ２１が保持する場合について述べたが、ＲＦＩＤリーダ６４において電源プラグ２１が差し込まれている電源コンセント部１３１とその電源プラグ２１との対応表を保持し、この対応表に基づいて電源を供給すべき電源コンセント部１３１を判別するようにしてもよい。例えば図１０に示すように、電源プラグ２１が固有の識別情報（ＩＤ）を内部メモリ２４に予め保持しておくと共に、各電源コンセント部１３１がそれぞれ固有の差し込み口番号を各々のプラグ検知モジュール３３の内部メモリ１３３に保持しておき、電源プラグ２１が電源コンセント部１３１に差し込まれた際に、その電源プラグ２１の識別情報をＲＦＩＤリーダ６４に通知する。また電源プラグ２１が差し込まれた電源コンセント部１３１のプラグ検知モジュール３３は、その内部メモリ１３３に保持されている差し込み口番号をＲＦＩＤリーダ６４に通知する。ＲＦＩＤリーダ６４は、これらの電源プラグ２１の識別情報とその電源プラグ２１が差し込まれた電源コンセント部１３１の差し込み口番号との対応表を内部メモリ６５に記憶させる。これにより対応表には、複数の電源コンセント部１３１について、電源プラグ２１が差し込まれている電源コンセント部１３１と電源プラグ２１との対応が記憶されることになる。この状態において、電気機器１０の電源スイッチ１１がオン操作されると、その電気機器１０の電力線２０に設けられた電源プラグ２１のＲＦＩＤタグ２３は、電源コンセント１３０のＲＦＩＤリーダ６４に対して電源プラグ２１の識別情報と共にオン状態を通知する。これによりＲＦＩＤリーダ６４においては、電源プラグ２１のＲＦＩＤタグ２３から送られた識別情報に対応する差し込み口番号を対応表から読み出して電力を供給すべき電源コンセント部１３１を判別することができる。
【００６９】
また、電気機器１０の電源スイッチ１１がオフ操作されると、その電気機器１０の電力線２０に設けられた電源プラグ２１のＲＦＩＤタグ２３は、電源コンセント１３０のＲＦＩＤリーダ６４に対して電源プラグ２１の識別情報と共にオフ状態を通知する。これによりＲＦＩＤリーダ６４においては、電源プラグ２１のＲＦＩＤタグ２３から送られた識別情報に対応する差し込み口番号を対応表から読み出して電源の供給を停止すべき電源コンセント部１３１を判別することができる。
【００７０】
このようにすれば、電源コンセント部１３１側においてＲＦＩＤライタを設ける必要がなくなり、その分、電源コンセント１３０の構成を簡易化することができる。
【００７１】
また上述の第３の実施の形態においては、複数の電源コンセント部１３１に共通のＲＦＩＤリーダ６４を１つ設ける場合について述べたが、電源コンセント１３０に設けられた複数の電源コンセント部１３１毎にＲＦＩＤリーダ６４を設けるようにしてもよい。
【００７２】
（第４の実施の形態）
本発明の第４の実施の形態は、第１の実施の形態に係る電源供給システム１において、電源コンセント３０からこの電源コンセント３０に差し込まれた電源プラグ２１を介して異常電流が流れた際に、電源コンセント３０において電力の供給を停止する例を説明するものである。すなわち図１１に示すように、第４の実施の形態に係る電源供給システムにおいて、電気機器１０の最大利用電力量の情報を保持する最大利用電力量情報保持部（ＲＦＩＤタグ２３の内部メモリ２４）と、出力端子Ｔ１を介して出力される電力量を計測する電力量計測部（電力量計測モジュール）７１と、を備え、電力制御部（電力制御モジュール）３５は、電力量計測部において計測される電力量が最大利用電力量を超えたとき出力端子Ｔ１への電源の供給を遮断するようになされている。すなわち、電源プラグ２１のＲＦＩＤタグ２３の内部メモリ２４には、その電源プラグ２１が接続された電気機器１０における最大利用電力量を表すデータが記憶される。また電源コンセント３０には、電源コンセント３０から出力される電力量を計測する電力量計測モジュール７１が備えられる。
【００７３】
電力量計測モジュール７１は、プラグ検知モジュール３３から電源プラグ２１の検知信号を受け取ると起動し、差し込まれた電源プラグ２１のＲＦＩＤタグ２３から読み出された最大利用電力量を表すデータと実際の電力量の計測結果とを比較して計測結果が最大利用電力量を超えた場合に異常電流が流れたものとして電源オフ要求を電力制御モジュール３５に送出する。電力制御モジュール３５は、電源オフ要求を受け取ると電力供給を停止する。
【００７４】
すなわち図１２に示すように、プラグ検知モジュール３３は、電源プラグ２１が差し込まれると検知信号をＲＦＩＤリーダ３４及び電力量計測モジュール７１に出力する（ステップＳ１０１）。ＲＦＩＤリーダ３４及び電力量計測モジュール７１は、検知信号を受け取ると起動する。
【００７５】
ＲＦＩＤリーダ３４は、起動すると定期的に電源プラグ２１のＲＦＩＤタグ２３に対して状態ビットの値の読出し要求を送信する（ステップＳ１０３、ステップＳ１１１）。ＲＦＩＤタグ２３は、ＲＦＩＤリーダ３４から読み出し要求に応じて内部メモリ２４に記憶されている状態ビットの値と、電気機器１０の最大利用電力量を示すデータとをＲＦＩＤリーダ３４に返送する（ステップＳ１１０５）。ＲＦＩＤリーダ３４は、ＲＦＩＤタグ２３から受け取った最大利用電力量を表すデータを、電力量計測モジュール７１に通知する（ステップＳ１１０６）。電力量計測モジュール７１は、ＲＦＩＤリーダ３４から受け取った最大利用電力量を表すデータを内部メモリ（図示せず）に記憶する。
【００７６】
これにより、電力量計測モジュール７１においては、電源コンセント３０に差し込まれた電源プラグ２１を介して電気機器１０に供給し得る最大電力量を保持することとなり、電源コンセント３０から出力される電力量の実際の計測結果と、内部メモリに記憶された最大利用電力量とを常に比較することにより、最大利用電力量を超えた電力量が計測された場合に電源オフ要求を電力制御モジュール３５に出力することにより（ステップＳ１１１７）、電源供給を停止させる。
【００７７】
このように電源コンセント３０においては、接続される電気機器１０に応じて異常と判断する電力量を適応的に設定することができる。電源コンセント３０から電源を供給する電気機器１０としては、テレビジョン装置、コンピュータ、オーディオ機器、エアコン等、様々な機器がある。これらの機器の最大利用電力量はそれぞれ異なっており、電源コンセント３０から供給される電力量が過大であるか否かは、電気機器毎に異なる。そこで本実施の形態に係る電源供給システム１においては、電気機器１０の電源プラグ２１にその電気機器１０の最大利用電力量を表すデータを記憶させておき、電源コンセント３０に電源プラグ２１が差し込まれた際に、その最大利用電力量を電源コンセント３０のＲＦＩＤリーダ３４が読み取って電力計測モジュール７１に受け渡すようにする。これにより、電源コンセント３０においては、異常と判断する電力量を一定値に固定するのではなく、接続される電気機器毎に適応的に設定することができる。
【００７８】
例えば電源コンセント３０にテレビジョン装置の電源プラグ２１が差し込まれた場合、電源プラグ２１に保持されているテレビジョン装置の最大利用電力量が電源コンセント３０の電力量計測モジュール７１に受け渡される。これにより、電源コンセント３０では、実際に供給される電力量がテレビジョン装置の最大利用電力量を超えたとき、電源の供給が停止される。
【００７９】
これに対して、例えばエアコンのようにテレビジョン装置に比べて最大利用電力量が大きな電気機器が電源コンセント３０に接続された場合、そのエアコンの最大利用電力量が電源プラグ２１から電源コンセント３０の電力計測モジュール７１に受け渡される。これにより、テレビジョン装置においては過大となる電力量であっても、エアコンの最大利用電力量を超えていない場合には、電源コンセント３０では異常と判断せずに電源の供給が続けられる。
【００８０】
このように、本実施の形態に係る電源供給システム１においては、電源コンセント３０に電源プラグ２１を差し込んだ際に、電源プラグ２１に保持された電気機器１０の最大利用電力量が電源コンセント３０の電力量計測モジュール７１に書き込まれることにより、電源コンセント３０においては、電源供給対象である電気機器１０の最大利用電力量を把握することができ、実際に計測された電力量がこの最大利用電力量を超えたとき電力の供給を停止することができる。これにより電源コンセント３０に接続される電気機器１０に応じて適応的に電源の供給制御を行うことができる。
【００８１】
また各電器機器１０毎に最大利用電力量を超えたとき電源の供給を停止することができることにより、例えば複数の電気機器の合計利用電力量が一定値を超えたときすべての電源供給を停止するといったブレーカに比べて、個々の電気機器１０に過大な電流が流れることを防止することができる。
【００８２】
なお上述の第４の実施の形態においては、電源コンセント３０に電源プラグ２１が差し込まれる毎に最大利用電力量を表すデータを電源プラグ２１から電源コンセント３０に受け渡すようにしたが、電源コンセント３０において最大利用電力量テーブルを作成し、一度読み出した値を保持するようにしてもよい。この場合、電源プラグ２１のＲＦＩＤタグに識別情報を保持しておき、この識別情報を最大利用電力量と共に読み出してそれぞれの対応を最大利用電力量テーブルに登録する。これにより電源コンセント３０においては、差し込まれた電源プラグ２１から識別情報を読み出すだけで最大利用電力量テーブルから対応する最大利用電力量を読み出して電力計測モジュール７１に設定することができる。
【００８３】
また電源プラグ２１に最大利用電力量を表すデータを記憶させることに代えて、電気機器１０がそのデータを保持しておき、必要に応じて電源プラグ２１に通知するようにしてもよい。
【００８４】
また電源プラグ２１から電源コンセント３０に対して最大利用電力量を表すデータを受け渡すことに代えて、電源コンセント３０がネットワークを介してサーバから最大利用電力量を受け取るようにしてもよい。この場合、電源プラグ２１のＲＦＩＤタグ２３の内部メモリ２４に電気機器１０の商品識別情報（商品ＩＤ）を記憶させておき、電源コンセント３０に電源プラグ２１が差し込まれた際に、電源プラグ２１から電源コンセント３０に対して商品ＩＤを受け渡す。商品ＩＤを受け取った電源コンセント３０は、ネットワークを介してその商品ＩＤによって特定される電気機器１０の最大利用電力量をサーバから受け取る。これにより最大利用電力量をサーバ側で制御することができるようになる。
【００８５】
（第５の実施の形態）
本発明の第５の実施の形態は、第１の実施の形態に係る電源供給システム１において、ＲＦＩＤタグ２３を用いることなく電気機器１０の電源スイッチ１１がオン操作されたことを電源コンセント３０に伝える例を説明するものである。すなわち図１３に示すように、第５の実施の形態に係る電源供給システムにおいては、押圧操作によって電力線２０のインピーダンスを変化させる電源スイッチ８１が設けられた電気機器１０と、この電力線２０のインピーダンス変化を検出する電源コンセント１００とを備える。また、本実施の形態に係る電源プラグ９１は、ＲＦＩＤタグを持たないものとする。
【００８６】
電気機器１０の電源スイッチ８１には、異なる抵抗値でなる複数の抵抗Ｒ１、Ｒ２、Ｒ３が電力線２０の一方に並列接続されており、電源スイッチ８１の押しボタン８２を押し込むことにより、抵抗Ｒ１、Ｒ２、Ｒ３を順次電力線２０の他方に接続するようになされている。
【００８７】
一方、電源コンセント１００においては、電源ラインに電力制御モジュール１０５が挿入されており、この電力制御モジュール１０５をバイパスするようにセンサ１０２が電源ラインに接続されている。センサ１０２は、電源コンセント１００に差し込まれた電源プラグ２１の電力線２０におけるインピーダンス変化を検出し、予め設定されているインピーダンス変化と一致する場合には、電力制御モジュール１０５に対して通電要求又は通電停止要求を送出する。因みにセンサ１０２は、インピーダンス変化を検出する度に通電要求及び通電停止要求を交互に送出するようになされている。電力制御モジュール１０５は、センサ１０２から送出される通電要求又は通電停止要求に基づいてスイッチ回路を切り換えることにより、電源供給又は電源供給停止を行う。
【００８８】
すなわち図１４に示すように、電源コンセント１００に電源プラグ９１が差し込まれると、プラグ検知モジュール３３からセンサ１０２に対して検知信号が出力される（ステップＳ１０１）。検知信号を受け取ったセンサ１０２は、起動して電力線２０のインピーダンス変化を監視する。そして電気機器１０の電源スイッチ８１がオン操作されると、押し込まれた押しボタン８２が抵抗Ｒ１、Ｒ２、Ｒ３を順次電力線２０に接続することにより、電力線２０にインピーダンス変化が生じ（ステップＳ１３０７）、この変化をセンサ１０２が検知する。インピーダンス変化が予め設定されている変化と一致する場合には、センサ１０２から電力制御モジュール１０５に対して通電要求が送出される（ステップＳ１３１５）。通電要求を受け取った電力制御モジュール１０５は、電源を供給する状態に切り換える。
【００８９】
これにより、電気機器１０の電源スイッチ８１がオン操作されると、この電気機器１００の電源プラグ９１が差し込まれている電源コンセント１００が電源供給状態に切り換えられる。
【００９０】
またセンサ１０２が電力制御モジュール１０５に対して通電要求を送出して電源供給状態となっている場合において、電気機器１０の電源スイッチ８１がオフ操作されると、電力線２０にインピーダンス変化が生じ（ステップＳ１３２１）、この変化をセンサ１０２が検知する。インピーダンス変化が予め設定されている変化と一致する場合には、センサ１０２から電力制御モジュール１０５に対して通電停止要求が出力される（ステップＳ１３２２）。通電停止要求を受け取った電力制御モジュール１０５は、電源の供給を停止状態に切り換える。
【００９１】
これにより、電気機器１０の電源スイッチ８１がオフ操作されると、この電気機器１００の電源プラグ９１が差し込まれている電源コンセント１００が電源供給停止状態に切り換えられる。
【００９２】
このように本実施の形態に係る電源供給システムにおいては、ＲＦＩＤタグ及びＲＦＩＤリーダを用いた情報の授受を行うことなく、電気機器１０の電源スイッチ８１の操作状態を電源コンセント１００に伝えることができ、その分、一段と構成を簡易化することができる。
【図面の簡単な説明】
【００９３】
【図１】第１の実施の形態に係る電源供給システムを示す略線図である。
【図２】図１の電源供給システムの電源コンセント及び電源プラグを示すブロック図である。
【図３】図１の電源供給システムのタイミングチャートである。
【図４】第２の実施の形態に係る電源供給システムの電源コンセント及び電源プラグを示すブロック図である。
【図５】図４の電源供給システムのタイミングチャートである。
【図６】第２の実施の形態に係る電源供給システムの変形例を示す略線図である。
【図７】第３の実施の形態に係る電源供給システムを示す略線図である。
【図８】図７の電源供給システムの電源コンセント及び電源プラグを示すブロック図である。
【図９】図７の電源供給システムのタイミングチャートである。
【図１０】図７の電源供給システムの変形例を示すブロック図である。
【図１１】第４の実施の形態に係る電源供給システムの電源コンセント及び電源プラグを示すブロック図である。
【図１２】図１１の電源供給システムのタイミングチャートである。
【図１３】第５の実施の形態に係る電源供給システムの電源コンセント及び電源プラグを示すブロック図である。
【図１４】図１３の電源供給システムのタイミングチャートである。
【符号の説明】
【００９４】
１  電源供給システム
１０  電気機器
１１、８１  電源スイッチ
２０  電力線
２１、９１  電源プラグ
２２  書き込み回路
２３  ＲＦＩＤタグ
２４、４４  内部メモリ
３０、１３０  電源コンセント
３３  プラグ検知モジュール
３４、５４、６４  ＲＦＩＤリーダ
３５、１０５  電力制御モジュール
４３  アクティブ型ＲＦＩＤタグ
６１  ＲＦＩＤライタ
７１  電力量計測モジュール
８２  押しボタン
１０２  センサ
１３１  電源コンセント部
【図１】
2006149075.tif 000003
【図２】
2006149075.tif 000004
【図３】
2006149075.tif 000005
【図４】
2006149075.tif 000006
【図５】
2006149075.tif 000007
【図６】
2006149075.tif 000008
【図７】
2006149075.tif 000009
【図８】
2006149075.tif 000010
【図９】
2006149075.tif 000011
【図１０】
2006149075.tif 000012
【図１１】
2006149075.tif 000013
【図１２】
2006149075.tif 000014
【図１３】
2006149075.tif 000015
【図１４】
2006149075.tif 000016